(57)【要約】【課題】  着脱容易で，かつ装着時に容易に抜脱せずに気密性を保持することの可能な内視鏡用防水キャップを提供する。【解決手段】  内視鏡の接続コードの端部に設けられたコネクタ部１１２の開口部に装着される内視鏡用防水キャップ１１６であって，コネクタ部の開口部に装着されるキャップ本体１２２と，キャップ本体をコネクタ部の開口部へ装着する方向に付勢する付勢手段１３２と，付勢手段を介してキャップ本体に対向して設けられた可動天板部１３０と，可動天板部に設けられ，付勢手段のコネクタ部の開口部へ装着する方向に抗して，キャップ本体をコネクタ部に着脱自在に係止する係止手段１３６と，を設け，可動天板部には，キャップ本体に対して可動天板部をロックするためのロック手段１４４が設けられていることを特徴とする。【選択図】    図２
2005046318.tif 000002
【特許請求の範囲】
【請求項１】
内視鏡の接続コードの端部に設けられたコネクタ部の開口部に装着される内視鏡用防水キャップであって，
前記コネクタ部の開口部に装着されるキャップ本体と，
前記キャップ本体を前記コネクタ部の開口部へ装着する方向に付勢する付勢手段と，
前記付勢手段を介して前記キャップ本体に対向して設けられた可動天板部と，
前記可動天板部に設けられ，前記付勢手段の前記コネクタ部の開口部へ装着する方向に抗して，前記キャップ本体を前記コネクタ部に着脱自在に係止する係止手段と，
を設けたことを特徴とする，内視鏡用防水キャップ。
【請求項２】
前記コネクタ部には，前記係止手段を係止するための係止凹部が設けられ，
前記係止手段は，前記可動天板部の側面に設けられた取付孔に枢支されるリンク部材であり，前記リンク部材は，前記係止凹部に係止される掛着部を備えることを特徴とする，請求項１に記載の内視鏡用防水キャップ。
【請求項３】
前記キャップ本体の側面に突起部が設けられ，
前記キャップ本体が前記コネクタ部に装着されているときに，前記突起部は，前記リンク部材と当接していることを特徴とする，請求項２に記載の内視鏡用防水キャップ。
【請求項４】
前記可動天板部に，前記キャップ本体に対して前記可動天板部をロックするためのロック手段が設けられていることを特徴とする，請求項１〜３のいずれかに記載の内視鏡用防水キャップ。
【請求項５】
前記係止手段は，前記リンク部材が前記可動天板部に一対設けられ，かつ一対の前記リンク部材は，互いに交差し，前記リンク部材の延出先に有する前記係止凹部に着脱可能に係止されることを特徴とする，請求項２〜４のいずれかに記載の内視鏡用防水キャップ。
【請求項６】
前記リンク部材の掛着部に着脱補助手段が設けられていることを特徴とする，請求項２〜５のいずれかに記載の内視鏡用防水キャップ。
【請求項７】
前記コネクタ部には，光源を有する発光回路が設けられ，
前記キャップ本体の前記コネクタ部との当接面に，前記発光回路との接続点に対向する部位に，前記光源の発光をオンまたはオフにするための複数の電気接点が離間して設けられていることを特徴とする，請求項１〜６のいずれかに記載の内視鏡用防水キャップ。
【発明の詳細な説明】
【技術分野】
【０００１】
本発明は，内視鏡のコネクタ部に装着する内視鏡用防水キャップに関する。
【背景技術】
【０００２】
内視鏡（電子内視鏡を含む）は，患者の体腔内等へ先端部を導入することから，消毒，洗浄が定期的に実施される。その際に，内視鏡を光源装置，外部プロセッサ装置，或いは外部カメラと接続するために設けられたコネクタ部等は，内部に配置された接点部等の部材を薬液，洗浄水から保護しなければならない。
【０００３】
このため，電子内視鏡から外部プロセッサ装置へ接続するためのコネクタ部の開口部に，防水キャップが装着される。コネクタ部には，左右に係止凹部が設けられており，防水キャップ側には，上記係止凹部に引っ掛けるためのリンク部材が設けられる。また，防水キャップには，上記コネクタ部の先端面と略同一の大きさで形成されたゴム付きのキャップ本体が設けられ，このキャップ本体は，回転ツマミの回転操作により，コネクタ部の開口部への装着方向の前後に移動できるように組立てられる。
【０００４】
内視鏡を消毒，洗浄の際には，上記２つのリンク部材を係止凹部に引っ掛け，回転ツマミを回転させることにより，ゴム付きのキャップ本体をコネクタ部の開口部の外周部に押し当てることができる。このようにして，端子が配置されたコネクタ部の内部へ薬液等が侵入することを防止している。
【０００５】
しかしながら，上記の回転ツマミの回動により装着させる防水キャップは，この回転ツマミを締め付ける人によって，キャップ本体にかかる付勢力が一定にならない。このため，締め付けが弱ければ，装着される防水キャップに水密が取れず，締め付けが強すぎると，コネクタ部が変形若しくは破損し，気密性が保てない等の問題が生じる虞があった。また，リンク部材を係止凹部に引っ掛け，回転ツマミを回動させてコネクタ部に装着させることより，防水キャップのコネクタ部への着脱が面倒であった。
【０００６】
このため，装着時の気密性を保持するために，シリコンゴム等から形成された防水キャップに，逆止弁を備えた栓とカップ形状のエアーポンプが一体に形成し，コネクタ部の開口部に嵌合して取り付け，上記エアーポンプを押し潰して内部空気を排出することにより内部を負圧に設定し，これにより防水キャップをコネクタ部に気密状態で固定させるものが開示されている（例えば，特許文献１参照）。
【０００７】
また，装着容易にするために，一対のリンク部材がキャップ本体を貫通して延び，端部がレバーの取付孔に相対回動可能に連結され，このレバーの外周面には，その回動操作によりリンク部材を係止凹部に係止した状態に保持する作動面と，係止凹部から離脱できる開放面とを備える防水キャップが開示されている（例えば，特許文献２参照）。この防水キャップによると，キャップ本体をコネクタ部に固定するために，リンク部材をコネクタ部に設けた係止凹部への掛着をレバーの回動操作より行うようにして，防水キャップの着脱機構の構成を簡略化し，かつ固定及び固定の解除の操作が容易で，固定した状態では，コネクタ部の開口部を確実にシールできるようになる。
【０００８】
【特許文献１】特開平０８−０２４２０９号公報
【特許文献２】特開平１０−１１８０２０号公報
【発明の開示】
【発明が解決しようとする課題】
【０００９】
しかし，上記の特許文献１に記載の防水キャップは，気密性は，保持可能であるものの，その気密性を保持するのに，防水キャップ内を負圧にするためにエアーポンプを何回も押さなければならず，手間を要した。また，上記の特許文献２に記載の防水キャップは，着脱操作は，容易となるものの，コネクタ部に装着中に小さな衝撃によっても外れてしまう虞があった。
【００１０】
本発明は，従来の内視鏡用防水キャップが有する上記問題点に鑑みてなされたものであり，本発明の目的は，着脱容易で，かつ装着時に容易に抜脱せずに気密性を保持することの可能な，新規かつ改良された内視鏡用防水キャップを提供することである。
【課題を解決するための手段】
【００１１】
上記課題を解決するために，本発明のある観点によれば，内視鏡の接続コードの端部に設けられたコネクタ部の開口部に装着される内視鏡用防水キャップであって，コネクタ部の開口部に装着されるキャップ本体と，キャップ本体をコネクタ部の開口部へ装着する方向に付勢する付勢手段と，付勢手段を介してキャップ本体に対向して設けられた可動天板部と，可動天板部に設けられ，付勢手段のコネクタ部の開口部へ装着する方向に抗して，キャップ本体をコネクタ部に着脱自在に係止する係止手段と，を設けたことを特徴とする，内視鏡用防水キャップが提供される。
【００１２】
このとき，コネクタ部には，係止手段を係止するための係止凹部が設けられ，係止手段は，可動天板部の側面に設けられた取付孔に枢支されるリンク部材であり，リンク部材は，係止凹部に係止される掛着部を備えることとしてもよい。
【００１３】
このような構成とすることにより，着脱が容易となる上に，ばね等の付勢手段により，キャップ本体への付勢力が一定となるため，装着される防水キャップの水密がより確実に取れ，かつコネクタ部を変形若しくは破損させることを未然に防ぐことが可能となる。
【００１４】
このとき，キャップ本体の側面に突起部が設けられ，キャップ本体がコネクタ部に装着されているときに，突起部は，リンク部材と当接していることとしてもよい。
【００１５】
このような構成とすることにより，防水キャップをコネクタ部から外す際に，可動天板部を押動すると，可動天板部の側面に設けられた取付孔を支点とし，リンク部材に当接する，可動天板部の側面に設けられた突起部が力点となって，リンク部材を外側に開くように作用するため，リンク部材の先端側に備わる掛着部をコネクタ部の係止凹部から外すことが容易になる。
【００１６】
また，このとき，可動天板部に，キャップ本体に対して可動天板部をロックするためのロック手段が設けられていることとしてもよい。
【００１７】
このような構成とすることにより，防水キャップをコネクタ部に装着時に，外部からの衝撃等で不意に防水キャップが外れることを未然に防ぐことが可能となる。
【００１８】
さらに，このとき，係止手段は，リンク部材が可動天板部に一対設けられ，かつ一対のリンク部材は，互いに交差し，リンク部材の延出先に有する係止凹部に着脱可能に係止されることとしてもよい。
【００１９】
このような構成とすることにより，可動天板部を押動させるときの移動量が少なくても，リンク部材の掛着部を係止凹部から容易に外すことが出来るので，付勢手段の弾性力をより大きく取ることが可能となり，防水キャップをコネクタ部へ装着させる際に，より強い水密性を取ることが可能となる。
【００２０】
また，このとき，リンク部材の掛着部に着脱補助手段が設けられていることとしてもよい。
【００２１】
このような構成とすることにより，防水キャップをコネクタ部への着脱が容易となり，かつ付勢手段の弾性力を大きく取ることが可能となることより，防水キャップをコネクタ部へ装着させる際に，より強い水密性を取ることが可能となる。
【００２２】
また，このとき，コネクタ部には，光源を有する発光回路が設けられ，キャップ本体のコネクタ部との当接面に，発光回路との接続点に対向する部位に，光源の発光をオンまたはオフにするための複数の電気接点が離間して設けられていることとしてもよい。
【００２３】
このような構成とすることにより，防水キャップをコネクタ部へ装着した際に，防水キャップとコネクタ部の圧着を感知して，発光回路に備わる光源の点灯により，防水キャップとコネクタ部の両者間の水密が取れているかを容易に確認することが可能となる。
【発明の効果】
【００２４】
以上説明したように本発明によれば，防水キャップをコネクタ部へ装着するのに，より容易かつ確実に装着することが可能となり，かつ装着時に容易に抜脱せずに気密性を保持することができる。また，コネクタ部と防水キャップの装着時の水密が取れているかを容易に確認することができる。
【発明を実施するための最良の形態】
【００２５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２６】
体腔内検査装置の一例として電子内視鏡装置がある。電子内視鏡装置は，体腔内の映像に関する情報を電気信号に変換して取り出し，この電気信号を所定の信号処理を行った上で，モニタ画面に表示するものである。
【００２７】
まず，電子内視鏡装置の構成について，図面を用いて説明する。図１は，電子内視鏡装置の全体構成の概略を示す図である。
【００２８】
図１に示すように，電子内視鏡装置に備わる内視鏡１００は，本体操作部１０２に体腔内等へ挿入される挿入部１０４を連設すると共に，電源等への接続コードとなるユニバーサルコード１０６の一端が接続されている。このユニバーサルコード１０６は，途中で分岐しており，そのうちの一方のコード１０６ａは，光源装置に着脱可能に接続され，また他方のコード１０６ｂは，プロセッサに着脱可能に接続されるものである。図１に示す電子内視鏡装置は，光源装置とプロセッサとが単一の装置，即ち光源・プロセッサユニット１０８として構成したものである。なお，光源装置とプロセッサとは別個の機器として構成しても良い。
【００２９】
ユニバーサルコード１０６における一方のコード１０６ａの先端には，光源コネクタ１１０が，また他方のコード１０６ｂの先端には，電気コネクタ１１２がそれぞれ設けられている。また，光源・プロセッサユニット１０８には，光源コネクタ１１０及び電気コネクタ１１２がそれぞれ着脱可能に接続されるソケット部１１４ａ，１１４ｂが設けられている。
【００３０】
ところで，内視鏡１００は，患者の体腔内に挿入されることから，使用の都度洗浄及び消毒を行わなければならない。清浄を最も必要とするのは，実際に体腔内に挿入される挿入部１０４であるが，洗浄・消毒の作業を簡略化し，かつ完全に清浄化するために，内視鏡１００の全体を洗浄液や消毒液に浸漬させるようにすることがある。このために，内視鏡１００は，全体が完全な気密構造とされている。
【００３１】
しかしながら，ユニバーサルコード１０６における電気コネクタ１１２（以下，コネクタ部１１２と称する。）には，多数の電気接点が設けられている。これら電気接点を一まとめにした接点部を洗浄・消毒液に浸漬させると，接点部の水分を完全に除くことが困難なために腐食やショートが起こる可能性があるので，洗浄・消毒時には，少なくともコネクタ部１１２の開口部に有する接点部が設けられている部位に防水キャップを装着して，保護を図るようにしている。
【００３２】
（第１の実施の形態）
次に，本発明の第１の実施の形態に係る内視鏡用防水キャップ１１６の構成及び作用について図面を用いて説明する。図２は，本実施の形態の内視鏡用防水キャップ１１６がコネクタ部１１２に装着されているときの状態を示す部分断面図であり，（ａ）は，防水キャップ１１６のコネクタ部１１２へ装着時の部分断面図であり，（ｂ）は，防水キャップ１１６をコネクタ部１１２から外すときの状態を示す部分断面図である。また，図３（ａ）は，本実施の形態の内視鏡用防水キャップ１１６の開口部の平面図であり，図３（ｂ）は，本実施の形態の内視鏡用防水キャップ１１６が装着されるコネクタ部１１２の開口部の平面図である。さらに，図４は，本実施の形態の内視鏡用防水キャップ１１６をコネクタ部１１２から外すときの動作の原理を簡略化して説明するための図である。
【００３３】
コード１０６ｂが連結されているコネクタ部１１２の開口部１１８には，図３（ｂ）に示すように，電気接点群となる接点部１２０が備わる。この接点部１２０を備える開口部１１８を洗浄時等に密閉するために，防水キャップ１１６は，コネクタ部１１２の開口部１１８に着脱可能に装着される。防水キャップ１１６は，キャップ本体１２２を備え，このキャップ本体１２２は，金属やプラスチック等の硬質部材からなる台板１２４と，この台板１２４の表面に固着して設けたゴム等からなる弾性シール部材１２６と，から構成される。弾性シール部材１２６は，コネクタ部１１２の開口部１１８を被覆する嵌着部１２６ａと，接点部１２０に嵌合する凸部１２６ｂとからなり，コネクタ部１１２の開口部１１８側に当接させると，凸部１２６ｂは，コネクタ部１１２の開口部１１８内において，接点部１２０とは接触しない位置まで入り込み，嵌着部１２６ａは，コネクタ部１１２の開口部１１８の端面に当接して，開口部１１８の内部をシールできるようになっている。
【００３４】
キャップ本体１２２の台板１２４の長手方向に対してガイドロッド１２８が一対垂設され，台板１２４に対して近接・離間する方向に変位可能となる可動天板部１３０がガイドロッド１２８に挿通するように，キャップ本体１２２の台板１２４に対向して設けられている。また，キャップ本体１２２をコネクタ部１１２の開口部１１８へ装着する方向に付勢する付勢手段として，例えばばね１３２が，台板１２４と可動天板部１３０との間にガイドロッド１２８に巻着するようにして設けられている。
【００３５】
このため，防水キャップ１１６をコネクタ部１１２の開口部１１８に装着させる際に，可動天板部１３０をガイドロッド１２８に対して台板１２４の方向に摺動させると，可動天板部１３０と台板１２４の間に設けられているばね１３２が収縮し，その収縮したばね１３２を伸張させる方向に働く力によって，キャップ本体１２２がコネクタ部１１２の開口部１１８へ装着する方向に付勢される。このばね１３２をキャップ本体１２２のコネクタ部１１２へ装着する際の付勢手段とすることにより，キャップ本体１２２への付勢力が一定となるため，装着される防水キャップ１１６の水密がより確実に取れ，かつコネクタ部１１２を変形若しくは破損させることを未然に防ぐことが可能となる。
【００３６】
また，防水キャップ１１６のキャップ本体１２２をコネクタ部１１２に装着した状態に固定するために，防水キャップ１１６には，コネクタ部１１２の両肩部に形成された係止凹部１３４への着脱自在な係止手段として，一対からなるリンク部材１３６が可動天板部１３０に枢支されている。リンク部材１３６は，例えば金属製のロッドを略コ字状に曲成させたものであり，その両端部を折り曲げて，可動天板部１３０に設けられた取付孔１３８内に回動可能に連結することにより略ループ形状となり，リンク部材１３６がキャップ本体１２２を跨ぐようにして回動できる状態となっている。そして，リンク部材１３６の先端側に有する曲成箇所が係止凹部１３４に係止される掛着部１３７となる。
【００３７】
本実施の形態の防水キャップ１１６を上記構成とすることにより，防水キャップ１１６をコネクタ部１１２へ装着する際に，可動天板部１３０を手指等で台板１２４の方向に押動し，リンク部材１３６の先端側に設けられた掛着部１３７をコネクタ部１１２の両肩部に設けられた係止凹部１３４に引っ掛けてから可動天板部１３０から手指等を外して押動を止めると，収縮されたばね１３２の伸張力が働き，防水キャップ１１６をコネクタ部１１２へ装着する方向に抗う方向にリンク部材１３６が引き戻されることにより，リンク部材１３６の先端側に備わる掛着部１３７が，コネクタ部１１２の両肩部に形成された係止凹部１３４へ係止される。
【００３８】
さらに，本実施の形態の防水キャップ１１６の可動天板部１３０の長手方向の側面に，リンク部材１３６に当接する位置に，換言すると可動天板部１３０に設けられた取付孔１３８よりも外側の位置に突起部１４０が設けられている。このため，図２（ｂ）に示すように，可動天板部１３０を台板１２４の方向に移動させると突起部１４０によって，リンク部材１３６の掛着部１３７がコネクタ部１１２の両肩部に形成された係止凹部１３４から外れる方向，換言するとコネクタ部１１２の外側にリンク部材１３６が開き，係止状態から解放される。なお，突起部１４０によって，リンク部材１３６の掛着部１３７が係止凹部１３４から外れる動作の原理については，後述で詳細に説明するものとする。
【００３９】
本実施の形態では，係止手段であるリンク部材１３６の係止凹部１３４に係止する部分となる掛着部１３７には，装着補助手段としてローラ１４２が軸着されている。このローラ１４２を設けることにより，防水キャップ１１６をコネクタ部１１２に装着させる際に，コネクタ部１１２の両肩部に上記のローラ１４２を回動させることによりリンク部材１３６の掛着部１３７が係止凹部１３４へ係止し易くなる。また，防水キャップ１１６をコネクタ部１１２から外す際に，リンク部材１３６を外側に開くときに，ローラ１４２を回動させることにより，容易に係止凹部１３４からリンク部材１３６の掛着部１３７が外れるようになる。
【００４０】
次に，リンク部材１３６の掛着部１３７が係止凹部１３４から外れるときの動作の原理を，図面を用いて説明する。図４は，本実施の形態の内視鏡用防水キャップ１１６をコネクタ部１１２から外すときの動作の原理を簡略化して説明するための図である。
【００４１】
図４は，図２（ａ）及び（ｂ）でのキャップ本体１２２の台板１２４の側面に設けられた突起部１４０と，リンク部材１３６の取付孔１３８と，リンク部材１３６の軸方向の中心線と突起部１４０を通る台板１２４の長手方向の中心線との交点１３６ａと，を結んで形成される三角形により上記の動作を説明する。
【００４２】
図４に示すように，防水キャップ１１６がコネクタ部１１２に装着されているときに，防水キャップ１１６をコネクタ部１１２から外すために可動天板部１３０を押動すると，リンク部材１３６と，リンク部材１３６の取付孔１３８から台板１２４に下ろした垂線１４１とのなす鋭角部の角度がθ１からη１へと大きくなる。図２（ｂ）に示すように，可動天板部１３０が押動されると，この可動天板部１３０と台板１２４の間に設けられたばね１３２が収縮された状態から元の伸張した状態になる復元するように反作用する。このため，上記の角度η１に大きくなった鋭角部が元の角度θ１に戻る方向に作用しようとするが，上記の突起部１４０と，リンク部材１３６の軸方向の中心線と突起部１４０を通る台板１２４の長手方向の中心線との交点１３６ａと，の距離α１は，一定のままであるため，突起部１４０が力点となって，リンク部材１３６を外側に開く方向に作用するようになる。
【００４３】
換言すると，防水キャップ１１６をコネクタ部１１２から外す際に，可動天板部１３０を押動すると，可動天板部１３０の側面に設けられた取付孔１３８を支点とし，リンク部材１３６に当接する，可動天板部１３０の側面に設けられた突起部１４０が力点となって，リンク部材１３６を外側に開くように作用する。このため，リンク部材１３６の先端側に備わる掛着部１３７をコネクタ部１１２の係止凹部１３４から外すことが容易になる。
【００４４】
また，本実施の形態の防水キャップ１１６は，防水キャップ１１６をコネクタ部１１２に装着時に，外部からの衝撃等で不意に防水キャップ１１６が外れることを未然に防ぐために，キャップ本体１２２に対して可動天板部１３０を近接させずにロックするためのロック手段として，可動天板部１３０にＬ字状ばね１４４がガイドロッド１２８からずらした位置に設けられている。このＬ字状ばね１４４は，角部１４４ａで略直角に折れ曲がるように作用する針金状のばねであり，防水キャップ１１６をコネクタ部１１２へ装着中に外部からの衝撃等により不意に脱離するのを防止するために，Ｌ字状ばね１４４の基端部に設けたスライド部１４６を可動天板部１３０の中央側に摺動させることにより，Ｌ字状ばね１４４の角部１４４ａが屈折して，Ｌ字状ばね１４４の先端側部位１４４ｂがキャップ本体１２２の台板１２４に対し略垂直に直立して，可動天板部１３０と台板１２４の間に介在する。このため，可動天板部１３０をキャップ本体１２２に対して固定することが可能となる。
【００４５】
なお，本実施の形態の変形例として，図５に示すように，キャップ本体１２２に対して可動天板部１３０を近接させずにロックするためのロック手段は，可動天板部１３０に硬質な棒状部材１４８が略垂直に挿通させ，この棒状部材１４８の基端部側に棒状部材１４８の基端部１４８ａを抑える役目をする抑止部材１５０を可動天板部１３０に対し摺動自在に設けたものとしてもよい。
【００４６】
この本実施の形態の変形例では，防水キャップ１１６をコネクタ部１１２へ装着中に脱離防止するために，可動天板部１３０とキャップ本体１２２の台板１２４との間の距離と略同一な長さの棒状部材１４８を，可動天板部１３０に略垂直に挿通し，この棒状部材１４８の基端部１４８ａを抑止部材１５０で抑えることにより，棒状部材１４８の先端部１４８ｂと基端部１４８ａが可動天板部１３０と台板１２４の間に介在するようにする。このため，図５（ａ）に示すように，可動天板部１３０をキャップ本体１２２に対して固定することができる。防水キャップ１１６をコネクタ部１１２から外す際には，図５（ｂ）に示すように，抑止部材１５０を可動天板部１３０に対し摺動させることにより，棒状部材１４８の基端部１４８ａを抑止状態から解放し，可動天板部１３０を押動させて，リンク部材１３６を開いて係止凹部１３４から外すようにする。
【００４７】
（第２の実施の形態）
次に，本発明の第２の実施の形態に係る内視鏡用防水キャップ２１６の構成及び作用について図面を用いて説明する。図６は，本実施の形態の内視鏡用防水キャップ２１６がコネクタ部２１２に装着されているときの状態を示す図であり，（ａ）は，防水キャップ２１６のコネクタ部２１２へ装着時の状態を示す図であり，（ｂ）は，防水キャップ２１６をコネクタ部２１２から外すときの状態を示す図である。また，図７は，本実施の形態の内視鏡用防水キャップ２１６をコネクタ部２１２から外すときの動作の原理を簡略化して説明するための図である。
【００４８】
本実施の形態の防水キャップ２１６は，第１の実施の形態の防水キャップ１１６と同様に，キャップ本体２２２を備え，このキャップ本体２２２は，金属やプラスチック等の硬質部材からなる台板２２４と，この台板２２４の表面に固着して設けたゴム等からなる弾性シール部材２２６と，から構成される。また，キャップ本体２２２の台板２２４の長手方向に対してガイドロッド２２８が一対垂設され，台板２２４に対して近接・離間する方向に変位可能となる可動天板部２３０がガイドロッド２２８に挿通するように，キャップ本体２２２の台板２２４に対向して設けられている。また，キャップ本体２２２をコネクタ部２１２へ装着する方向に付勢する付勢手段として，例えばばね２３２が，台板２２４と可動天板部２３０との間にガイドロッド２２８に巻着するようにして設けられている。
【００４９】
本実施の形態の防水キャップ２１６は，第１の実施の形態の防水キャップ１１６とは，コネクタ部２１２へ装着した状態を保持するための係止手段の構成が異なる。すなわち，本実施の形態の防水キャップ２１６は，キャップ本体２２２をコネクタ部２１２に装着した状態に保持するために可動天板部２３０に枢支される一対のリンク部材２３６は，図６（ａ）に示すように，互いに交差して，リンク部材２３６の延出先に有するコネクタ部２１２の両肩部に形成された係止凹部２３４へ着脱自在に係止される。これらリンク部材２３６は，第１の実施の形態のものと同様に，例えば金属製のロッドを略コ字状に曲成させたものであり，その両端部を折り曲げて，可動天板部２３０に設けられた取付孔２３８内に枢支することにより略ループ形状となり，リンク部材２３６がキャップ本体２２２を跨ぐようにして回動できる状態となっている。そして，リンク部材２３６の先端側に有する曲成箇所が係止凹部２３４に係止される掛着部２３７となる。
【００５０】
本実施の形態の防水キャップ２１６を上記構成とすることにより，防水キャップ２１６をコネクタ部２１２へ装着する際に，可動天板部２３０を手指等で台板２２４の方向に押動し，リンク部材２３６の先端側に設けた掛着部２３７をコネクタ部２１２の両肩部に設けられた係止凹部２３４に引っ掛けてから可動天板部２３０から手指等を外して押動を止めると，第１の実施の形態の場合と同様に，収縮されたばね２３２の伸張力が働き，防水キャップ２１６をコネクタ部２１２へ装着する方向に抗う方向にリンク部材２３６が引き戻されることにより，リンク部材２３６の先端側に設けた掛着部２３７がコネクタ部２１２の両肩部に形成された係止凹部２３４へ係止される。
【００５１】
また，本実施の形態の防水キャップ２１６の可動天板部２３０の長手方向の側面に，リンク部材２３６に当接する位置に突起部２４０が設けられ，本実施の形態においては，リンク部材２３６が互いに交差されているため，可動天板部２３０に設けられた取付孔２３８よりも内側の位置に突起部２４０が設けられている。このため，図６（ｂ）に示すように，可動天板部２３０を台板２２４の方向に移動させると，突起部２４０によってリンク部材２３６がコネクタ部２１２の両肩部に形成された係止凹部２３４から外れる方向，換言するとコネクタ部２１２の外側にリンク部材２３６が開き，係止状態から解放される。
【００５２】
なお，本実施の形態では，第１の実施の形態の防水キャップ２１６と同様に，係止手段であるリンク部材２３６の係止凹部２３４に係止する部分となる掛着部２３７には，装着補助手段としてローラ２４２が軸着されている。このローラ２４２を設けることにより，防水キャップ２１６をコネクタ部２１２に装着させる際に，コネクタ部２１２の両肩部に上記のローラ２４２を回動させることによりリンク部材２３６に設けた掛着部２３７が係止凹部２３４へ係止し易くなる。また，防水キャップ２１６をコネクタ部２１２から外す際に，リンク部材２３６を外側に開くときに，ローラ２４２を回動させることにより，容易に係止凹部２３４から掛着部２３７が外れるようになる。
【００５３】
次に，リンク部材２３６に設けた掛着部２３７が係止凹部２３４から外れるときの動作の原理を，図面を用いて説明する。図７は，本実施の形態の内視鏡用防水キャップ２１６をコネクタ部２１２から外すときの動作の原理を簡略化して説明するための図である。
【００５４】
図７は，図６（ａ）及び（ｂ）でのキャップ本体２２２の台板２２４の側面に設けられた突起部２４０と，リンク部材２３６の取付孔２３８と，リンク部材２３６の軸方向の中心線と突起部２４０を通る台板２２４の長手方向の中心線との交点２３６ａと，を結んで形成される三角形により上記の動作を説明する。
【００５５】
図７に示すように，防水キャップ２１６がコネクタ部２１２に装着されているときに，防水キャップ２１６をコネクタ部２１２から外すために可動天板部２３０を押動すると，リンク部材２３６と，リンク部材２３６の取付孔２３８から台板２２４に下ろした垂線２４１とのなす鋭角部の角度がθ２からη２へと大きくなる。図６（ｂ）に示すように，可動天板部２３０が押動されると，この可動天板部２３０と台板２２４の間に設けられたばね２３２が収縮された状態から元の伸張した状態になる復元するように反作用する。
【００５６】
このため，上記の角度η２に大きくなった鋭角部が元の角度θ２に戻る方向に作用しようとするが，上記の突起部２４０と，リンク部材２３６の軸方向の中心線と突起部２４０を通る台板２２４の長手方向の中心線との交点２３６ａと，の距離α２は，一定のままであるため，突起部２４０が力点となって，リンク部材２３６を外側に開く方向に作用するようになる。換言すると，防水キャップ２１６をコネクタ部２１２から外す際に，可動天板部２３０を押動すると，可動天板部２３０の側面に設けられた取付孔２３８を支点とし，リンク部材２３６に当接する，可動天板部２３０の側面に設けられた突起部２４０が力点となって，リンク部材２３６を外側に開くように作用する。このため，リンク部材２３６の先端側に備わる掛着部２３７をコネクタ部２１２の係止凹部２３４から外すことが容易になる。
【００５７】
また，本実施の形態の防水キャップ２１６に設けられる一対のリンク部材２３６は，上述したように，互いに交差して，リンク部材２３６の延出先に有するコネクタ部２１２の両肩部に形成された係止凹部２３４へ着脱自在に係止される。このため，防水キャップ２１６がコネクタ部２１２に装着されているときに，リンク部材２３６と，リンク部材２３６の取付孔２３８から台板２２４に下ろした垂線２４１とのなす鋭角部の角度θ２は，第１の実施の形態の防水キャップ１１６の場合の上記鋭角部のなす角度θ１より最初から大きいものとなる。
【００５８】
突起部２４０が力点となって，リンク部材２３６を外側に開く方向に作用するときの上記の鋭角部の角度η２は，第１の実施の形態と略同一であることより，第１の実施の形態の防水キャップ１１６よりも，本実施の形態の防水キャップ２１６の方がリンク部材２３６を開いてコネクタ部２１２から防水キャップ２１６を外す際に，可動天板部２３０を押し込むときの可動天板部２３０の移動距離が小さく済むこととなる。このため，コネクタ部２１２の係止凹部２３４からリンク部材２３６を外すために可動天板部２３０を押動させるときの移動量が少なくても，コネクタ部２１２への係止手段であるリンク部材２３６を容易に外すことが出来るので，ばね２３２の弾性力をより大きく取ることが可能となる。換言すると，防水キャップ２１６をコネクタ部２１２へ装着させる際に，より強い水密性を取ることができる。
【００５９】
さらに，第１の実施の形態の防水キャップ１１６より最初からより大きい弾性力を有するばね２３２を使用することが可能なので，防水キャップ２１６をコネクタ部２１２に装着中に外部の衝撃等により不意に可動天板部２３０が押動されてリンク部材２３６が係止凹部２３４から外れる虞がなくなることより，防水キャップ２１６の装着時における可動天板部２３０のロック手段を不要とすることが可能となる。このため，防水キャップ２１６の製造コスト，手間を低減することができる。
【００６０】
（第３の実施の形態）
次に，本発明の第３の実施の形態に係る内視鏡用防水キャップ３１６の構成及び作用について図面を用いて説明する。図８は，本実施の形態の内視鏡用防水キャップ３１６がコネクタ部３１２に装着されているときの状態を示す図であり，（ａ）は，防水キャップ３１６のコネクタ部３１２へ装着させる時の状態を示す図であり，（ｂ）は，防水キャップ３１６をコネクタ部３１２から外すときの状態を示す図である。
【００６１】
本実施の形態の防水キャップ３１６は，第１および第２の実施の形態の防水キャップ１１６，２１６と同様に，キャップ本体３２２を備え，このキャップ本体３２２は，金属やプラスチック等の硬質部材からなる台板３２４と，この台板３２４の表面に固着して設けたゴム等からなる弾性シール部材３２６と，から構成される。また，キャップ本体３２２の台板３２４の長手方向に対してガイドロッド３２８が一対垂設され，台板３２４に対して近接・離間する方向に変位可能となる可動天板部３３０がガイドロッド３２８に挿通するように，キャップ本体３２２の台板３２４に対向して設けられている。また，キャップ本体３２２をコネクタ部３１２へ装着する方向に付勢する付勢手段として，例えばばね３３２が，台板３２４と可動天板部３３０との間にガイドロッド３２８に巻着するようにして設けられている。
【００６２】
本実施の形態の防水キャップ３１６は，第１の実施の形態の防水キャップ１１６とは，コネクタ部３１２へ装着した状態を保持するための係止手段の構成が異なる。すなわち，本実施の形態の防水キャップ３１６は，キャップ本体３２２をコネクタ部３１２に装着した状態に保持するための係止手段として，可動天板部３３０に一対のリンク部材３３６が枢支され，このリンク部材３３６の係止凹部３３４に係止する部位，換言するとリンク部材３３６の先端側に有する掛着部３３７には，着脱補助手段として，取付孔３４２ｂを備えたツマミ部材３４２が回動自在に設けられている。
【００６３】
なお，これらリンク部材３３６は，第１の実施の形態のものと同様に，例えば金属製のロッドを略コ字状に曲成させたものであり，その両端部を折り曲げて，可動天板部３３０に設けられた取付孔３３８内に枢支することにより略ループ形状となり，リンク部材３３６がキャップ本体３２２を跨ぐようにして回動できる状態となっている。また，上記のツマミ部材３４２は，略台形柱の形状であり，鋭角の頂点に当たる部位が係止凸部３４２ａとなり，コネクタ部３１２の両肩部に形成された係止凹部３３４に係止される。
【００６４】
本実施の形態の防水キャップ３１６に備える係止手段を上記構成とすることにより，防水キャップ３１６をコネクタ部３１２へ装着する際に，図８（ａ）に示すように，ツマミ部材３４２を手指等で摘んで係止凸部３４２ａをコネクタ部３１２の両肩部に摺動させながら，リンク部材３３６を介して可動天板部３３０を台板３２４の方向に引動し，ツマミ部材３４２の先端側に有する係止凸部３４２ａをコネクタ部３１２の両肩部に設けられた係止凹部３３４に引っ掛けると，第１の実施の形態の場合と同様に，収縮されたばね３３２の伸張力が働き，防水キャップ３１６をコネクタ部３１２へ装着する方向に抗う方向にリンク部材３３６およびこのリンク部材３３６の先端側に設けられたツマミ部材３４２が引き戻されることにより，リンク部材３３６がツマミ部材３４２を介してコネクタ部３１２の両肩部に形成された係止凹部３３４へ係止される。
【００６５】
また，図８（ｂ）に示すように，係止凸部３４２ａを支点として，ツマミ部材３４２を手指等で摘んで外側に開くと，リンク部材３３６を介して可動天板部３３０が台板３２４の方向に引き戻されて，リンク部材３３６がコネクタ部３１２の両肩部に形成された係止凹部３３４から外れる方向，換言するとコネクタ部３１２の外側にリンク部材３３６が開き，係止状態から解放される。
【００６６】
上記のように，本実施の形態では，係止手段であるリンク部材３３６の掛着部３３７には，装着補助手段としてツマミ部材３４２が回動自在に設けられていることにより，防水キャップ３１６をコネクタ部３１２に装着させる際に，コネクタ部３１２の両肩部に上記のツマミ部材３４２の係止凸部３４２ａを支点として回動させて，リンク部材３３６がツマミ部材３４２を介して係止凹部３３４へ係止し易くなる。また，防水キャップ３１６をコネクタ部３１２から外す際に，リンク部材３３６を外側に開くときに，ツマミ部材３４２に備わる係止凸部３４２ａを支点として回動させることにより，リンク部材３３６がツマミ部材３４２を介して容易に係止凹部３３４から外れるようになる。
【００６７】
上述したように，本実施の形態では，ツマミ部材３４２および先端側に回動自在にツマミ部材３４２を設けたリンク部材３３６を介して可動天板部３３０を台板３２４側に引動し易くなるので，ばね３３２の弾性力をより大きく取ることが可能となる。換言すると，防水キャップ３１６をコネクタ部３１２へ装着させる際に，より強い水密性を取ることができる。さらに，第１の実施の形態の防水キャップ１１６より最初からより大きい弾性力を有するばね３３２を使用することが可能なので，防水キャップ３１６をコネクタ部３１２に装着中に外部の衝撃等により不意に可動天板部３３０が押動されて係止部材であるリンク部材３３６が係止凹部３３４から外れる虞がなくなることより，防水キャップ３１６の装着時における可動天板部３３０のロック手段を不要とすることが可能となる。
【００６８】
（第４の実施の形態）
次に，本発明の第４の実施の形態に係る内視鏡用防水キャップ４１６の構成及び作用について図面を用いて説明する。図９は，本実施の形態の内視鏡用防水キャップ４１６がコネクタ部４１２に装着されているときの状態を示す部分断面図であり，（ａ）は，防水キャップ４１６のコネクタ部４１２へ装着時の部分断面図であり，（ｂ）は，本実施の形態の防水キャップ４１６が装着されるコネクタ部４１２の正面図である。また，図１０（ａ）は，本実施の形態の内視鏡用防水キャップ４１６の開口部の平面図であり，図１０（ｂ）は，本実施の形態の内視鏡用防水キャップ４１６が装着されるコネクタ部４１２の開口部の平面図である。さらに，図１１は，本実施の形態の内視鏡用防水キャップ４１６およびコネクタ部４１２に設けられた発光回路の回路図である。
【００６９】
コネクタ部４１２の開口部４１８には，図１０（ｂ）に示すように，電気接点群となる接点部４２０が備わる。第１の実施の形態の防水キャップ１１６と同様に，本実施の形態の防水キャップ４１６は，キャップ本体４２２を備え，このキャップ本体４２２は，金属やプラスチック等の硬質部材からなる台板４２４と，この台板４２４の表面に固着して設けたゴム等からなる弾性シール部材４２６と，から構成される。弾性シール部材４２６は，コネクタ部４１２の開口部４１８を被覆する嵌着部４２６ａと，接点部４２０に嵌合する凸部４２６ｂとからなり，コネクタ部４１２の開口部４１８側に当接させると，凸部４２６ｂは，コネクタ部４１２の開口部４１８内において，接点部４２０とは接触しない位置まで入り込み，嵌着部４２６ａは，コネクタ部４１２の開口部４１８の端面に当接して，開口部４１８の内部をシールできるようになっている。
【００７０】
また，第１の実施の形態の防水キャップ１１６と同様に，キャップ本体４２２の台板４２４の長手方向に対してガイドロッド４２８が一対垂設され，台板４２４に対して近接・離間する方向に変位可能となる可動天板部４３０がガイドロッド４２８に挿通するように，キャップ本体４２２の台板４２４に対向して設けられている。さらに，キャップ本体４２２をコネクタ部４１２の開口部４１８へ装着する方向に付勢する付勢手段として，例えばばね４３２が，台板４２４と可動天板部４３０との間にガイドロッド４２８に巻着するようにして設けられている。このため，防水キャップ４１６をコネクタ部４１２の開口部４１８に装着させる際に，可動天板部４３０をガイドロッド４２８に対して台板４２４の方向に摺動させると，可動天板部４３０と台板４２４の間に設けられているばね４３２が収縮し，その収縮したばね４３２を伸張させる方向に働く力によって，キャップ本体４２２がコネクタ部４１２の開口部４１８へ装着する方向に付勢される。
【００７１】
本実施の形態の防水キャップ４１６は，防水キャップ４１６のコネクタ部４１２への装着時に脱落防止するための係止手段を着脱容易にするために，第３の実施の形態の防水キャップ３１６と同様に，キャップ本体４２２をコネクタ部４１２に装着した状態に保持するための係止手段として，可動天板部４３０に一対のリンク部材４３６が枢支され，このリンク部材４３６の係止凹部４３４に係止する部位，換言するとリンク部材４３６の先端側に有する掛着部４３７には，着脱補助手段として取付孔４４２ｂを備えたツマミ部材４４２が回動自在に設けられている。また，上記のツマミ部材４４２は，第３の実施の形態と同様に，略台形柱の形状であり，鋭角の頂点に当たる部位が係止凸部４４２ａとなり，コネクタ部４１２の両肩部に形成された係止凹部４３４に係止される。
【００７２】
また，本実施の形態の防水キャップ４１６を装着するコネクタ部４１２には，図９（ａ）および（ｂ）に示すように，ＬＥＤ等の光源４４４を有する発光回路が設けられている。そして，キャップ本体４２２のコネクタ部４１２の開口部４１８との当接面には，図９（ａ）および図１０（ａ）に示すように，コネクタ部４１２に設けられた光源４４４を点灯させる発光回路との接続点４４８に対向する部位に，換言すると，嵌着部４２６ａの内側四隅に，発光回路の発光をオンまたはオフにするための金属等の導電性材料から形成される電気接点４４６が４つ離間して設けられている。これら電気接点４４６間は，導線４５０で接続されている。
【００７３】
次に，本実施の形態の防水キャップ４１６を装着するコネクタ部４１２および防水キャップ４１６に設けられる発光回路の構成について，図面を使用して説明する。図１１は，本実施の形態の防水キャップ４１６を装着するコネクタ部４１２および防水キャップ４１６に設けられる発光回路の構成図である。
【００７４】
コネクタ部４１２の側面には，図９に示すように，ＬＥＤ等の光源４４４が設けられている。コネクタ部４１２の開口部４１８の四隅近傍に設けられた，発光回路との接続点４４８の一つである接続点４４８ｄ，４４８ｃ間には，図１１に示すように，光源４４４と小型電池等の電源４５４が設けられ，導線４５２ｂで接続されている。また，上記の接続点４４８のうち他の接続点４４８ａ，４４８ｂ間は，他の導線４５２ａで接続されている。
【００７５】
一方，防水キャップ４１６のコネクタ部４１２との当接面のうち，発光回路との接続点４４８に対向する部位に，換言すると，嵌着部４２６ａの内側四隅に，光源４４４の発光をオンまたはオフにするための複数の電気接点４４６が計４つ離間して設けられている。これら電気接点４４６のうち，電気接点４４６ｃ，４４６ａ間は，導線４５０ａで，電気接点４４６ｂ，４４６ｄ間は，導線４５０ｂで接続されている。
【００７６】
防水キャップ４１６およびコネクタ部４１２をこのような構成とすることにより，防水キャップ４１６をコネクタ部４１２へ装着した際に，防水キャップ４１６とコネクタ部４１２がずれることなく装着されているかどうかを，換言すると防水キャップ４１６とコネクタ部４１２の圧着を感知して，発光回路に備わる光源４４４の点灯により，両者の間の水密が取れているかを容易に確認することが可能となる。例えば，防水キャップ４１６がコネクタ部４１２に対して，ずれた状態で装着されていると，電気接点４４６ａ，４４６ｂ，４４６ｃ，４４６ｄが各々離間して防水キャップ４１６に設けられているため，コネクタ部４１２の開口部に有する発光回路との接続点４４８ａ，４４８ｂ，４４８ｃ，４４８ｄと接続されないことより，各電気接点４４６ａ，４４６ｂ，４４６ｃ，４４６ｄ，接続点４４８ａ，４４８ｂ，４４８ｃ，４４８ｄ，導線４５０ａ，４５０ｂ，４５２ａ，４５２ｂ，光源４４４，および電源４５４が完全に導通されず，光源４４４が点灯されない。このように光源４４４が点灯しないことより，防水キャップ４１６とコネクタ部４１２との間の水密が取れていないことが外部から容易に確認できる。
【００７７】
また，コネクタ部４１２に設けられる発光回路の構成を以下のように変形することも可能である。図１２は，本実施の形態の変形例となる内視鏡用防水キャップ４１６がコネクタ部４１２に装着されているときの状態を示す部分断面図であり，（ａ）は，防水キャップ４１６のコネクタ部４１２へ装着時の部分断面図であり，（ｂ）は，本実施の形態の防水キャップ４１６が装着されるコネクタ部４１２の正面図である。また，図１３（ａ）は，本実施の形態の内視鏡用防水キャップ４１６の開口部の平面図であり，図１３（ｂ）は，本実施の形態の内視鏡用防水キャップ４１６が装着されるコネクタ部４１２の開口部の平面図である。さらに，図１４は，本実施の形態の内視鏡用防水キャップ４１６およびコネクタ部４１２に設けられた発光回路の回路図である。
【００７８】
本実施の形態の変形例のコネクタ部４１２に設けられた発光回路の接続点は，図１２（ａ）に示すように，金属等の導電性の極板４５４，４５８の間に導電性ゴム４６０が介在されたものである。上記の接続点のうち極板４５４がコネクタ部４１２の開口部４１８側に設けられる。このコネクタ部４１２の開口部４１８側に設けられた極板４５６は，本実施の形態においては，図１４に示すように，極板４５６ｃ，４５６ａ間は，導線４６４ａで，極板４５６ｂ，４５６ｄ間は，導線４６４ｂで接続されている。また，他方の極板４５８は，コネクタ部４１２内で導線４６２を介して接続されている。具体的には，図１４に示すように，極板４５８ｃ，４５８ｄ間には，光源４４４と小型電池等の電源４５４が設けられ，導線４６２ａで接続されている。また，他の極板４５８ａ，４５８ｂ間は，他の導線４６２ｂで接続されている。
【００７９】
一方，防水キャップ４１６のコネクタ部４１２との当接面のうち，発光回路との接続点４５６に対向する部位に，換言すると，嵌着部４２６ａの内側四隅に，光源４４４の発光をオンまたはオフにするための複数の押圧部４５７が計４つ離間して設けられている。本実施の形態のこれら押圧部４５７は，互いに導線で接続されておらず，防水キャップ４１６をコネクタ部４１２に装着する際に，コネクタ部４１２の開口部４１８に設けられた極板４５６を押動する凸部である。
【００８０】
コネクタ部４１２に備わる発光回路の接続点となる極板４５６，４５８間に導電性ゴム４６０を設けることにより，コネクタ部４１２の開口部４１８に有する極板４５６が押動されると，極板４５６，４５８間に設けられた導電性ゴム４６０が収縮して，極板４５６，４５８間が導通するようになる。
【００８１】
防水キャップ４１６およびコネクタ部４１２を上記のような構成とすることにより，防水キャップ４１６をコネクタ部４１２へ装着した際に，防水キャップ４１６とコネクタ部４１２がずれることなく装着されているかどうかを，換言すると防水キャップ４１６とコネクタ部４１２の圧着を感知して，発光回路に備わる光源４４４の点灯により，両者の間の水密が取れているかを容易に確認することが可能となる。例えば，防水キャップ４１６がコネクタ部４１２に対して，ずれた状態で装着されていると，各押圧部４５７ａ，４５７ｂ，４５７ｃ，４５７ｄが各々離間して防水キャップ４１６に設けられているため，これら押圧部４５７ａ，４５７ｂ，４５７ｃ，４５７ｄがコネクタ部４１２の開口部に有する発光回路との接続点となる極板４５６ａ，４５６ｂ，４５６ｃ，４５６ｄと接して押動しないため，発光回路の接続点となる各極板４５６ａ，４５６ｂ，４５６ｃ，４５６ｄ，４５８ａ，４５８ｂ，４５８ｃ，４５８ｄ，導電性ゴム４６０ａ，４６０ｂ，４６０ｃ，４６０ｄ，導線４６２ａ，４６２ｂ，４６４ａ，４６４ｂ，光源４４４，および電源４５４が完全に導通されず，光源４４４が点灯されない。このように光源４４４が点灯しないことより，防水キャップ４１６とコネクタ部４１２との間の水密が取れていないことが外部から容易に確認できる。
【００８２】
また，本実施の形態では，コネクタ部４１２内に発光回路の接続点となる極板４５６，４５８および導電性ゴム４６０を設けたが，防水キャップ４１６側に導電性ゴム４６０を設ける構成とすることも可能である。例えば，第４の実施の形態の防水キャップ４１６の電気接点４４６を導電性の極板の下に導電性ゴム４６０を設けたものとし，コネクタ部４１２側の発光回路との接続点４４８を導電性の極板とし，防水キャップ４１６およびコネクタ部４１２に設けられる発光回路の接続構成を図１１と同様にした場合でも同様の効果が得られる。
【００８３】
さらに，本実施の形態は，第３の実施の形態の防水キャップ３１６およびコネクタ部３１２に発光回路を設けたものであるが，第１および第２の実施の形態の防水キャップ１１６，２１６およびコネクタ部１１２，２１２にこれらの発光回路を設けても同様の効果が得られる。
【００８４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８５】
例えば，各実施の形態の防水キャップに設けられたガイドロッドおよび付勢手段が各々２つ設けられているが，これらガイドロッドや付勢手段の数は，この数に限定されない。また，付勢手段は，ばねとなっているが，ゴム等の他の弾性部材を代用することも可能である。
【００８６】
また，第４の実施の形態の防水キャップに設けられる電気接点は，４つであるが，これら電気接点が離間して設けられていれば，この数に限定されるわけではない。
【産業上の利用可能性】
【００８７】
本発明は，内視鏡のコネクタ部の開口部に装着する内視鏡用防水キャップに適用可能であり，特に電子内視鏡や超音波内視鏡等のように，映像信号の処理を行うプロセッサや，超音波信号の処理を行う超音波観測装置等の信号処理装置との間で電気信号の授受を行う必要のある体腔内検査装置において，洗浄液や消毒液等に浸漬させる際に，これら信号処理装置に着脱可能に接続されるコネクタ部に設けた電気接点等を防水保護するため用いられる体腔内検査装置の電気コネクタ用防水キャップに適用可能である。
【図面の簡単な説明】
【００８８】
【図１】図１は，電子内視鏡装置の全体構成の概略を示す図である。
【図２】図２は，第１の実施の形態の内視鏡用防水キャップがコネクタ部に装着されているときの状態を示す部分断面図であり，（ａ）は，防水キャップのコネクタ部へ装着時の部分断面図であり，（ｂ）は，防水キャップをコネクタ部から外すときの状態を示す部分断面図である。
【図３】（ａ）は，同実施の形態の内視鏡用防水キャップの開口部の平面図であり，（ｂ）は，同実施の形態の内視鏡用防水キャップが装着されるコネクタ部の開口部の平面図である。
【図４】図４は，同実施の形態の内視鏡用防水キャップをコネクタ部から外すときの動作の原理を簡略化して説明するための図である。
【図５】図５は，第１の実施の形態の変形例の内視鏡用防水キャップがコネクタ部に装着されているときの状態を示す部分断面図であり，（ａ）は，防水キャップのコネクタ部へ装着時の部分断面図であり，（ｂ）は，防水キャップをコネクタ部から外すときの状態を示す部分断面図である。
【図６】図６は，第２の実施の形態の内視鏡用防水キャップがコネクタ部に装着されているときの状態を示す図であり，（ａ）は，防水キャップのコネクタ部へ装着時の状態を示す図であり，（ｂ）は，防水キャップをコネクタ部から外すときの状態を示す図である。
【図７】図７は，同実施の形態の内視鏡用防水キャップをコネクタ部から外すときの動作の原理を簡略化して説明するための図である。
【図８】図８は，第３の実施の形態の内視鏡用防水キャップがコネクタ部に装着されているときの状態を示す図であり，（ａ）は，防水キャップのコネクタ部へ装着させる時の状態を示す図であり，（ｂ）は，防水キャップをコネクタ部から外すときの状態を示す図である。
【図９】図９は，第４の実施の形態の内視鏡用防水キャップがコネクタ部に装着されているときの状態を示す部分断面図であり，（ａ）は，防水キャップのコネクタ部へ装着時の部分断面図であり，（ｂ）は，同実施の形態の防水キャップが装着されるコネクタ部の正面図である。
【図１０】（ａ）は，同実施の形態の内視鏡用防水キャップの開口部の平面図であり，（ｂ）は，同実施の形態の内視鏡用防水キャップが装着されるコネクタ部の開口部の平面図である。
【図１１】図１１は，同実施の形態の内視鏡用防水キャップおよびコネクタ部に設けられた発光回路の回路図である。
【図１２】図１２は，第４の実施の形態の変形例となる内視鏡用防水キャップがコネクタ部に装着されているときの状態を示す部分断面図であり，（ａ）は，防水キャップのコネクタ部へ装着時の部分断面図であり，（ｂ）は，同実施の形態の防水キャップが装着されるコネクタ部の正面図である。
【図１３】（ａ）は，同実施の形態の内視鏡用防水キャップの開口部の平面図であり，（ｂ）は，同実施の形態の内視鏡用防水キャップが装着されるコネクタ部の開口部の平面図である。
【図１４】図１４は，同実施の形態の内視鏡用防水キャップおよびコネクタ部に設けられた発光回路の回路図である。
【符号の説明】
【００８９】
１００    内視鏡
１０２    本体操作部
１０４    挿入部
１０６    ユニバーサルコード
１０８    光源・プロセッサユニット
１１０    光源コネクタ
１１２，２１２，３１２，４１２    コネクタ部（電気コネクタ）
１１４ａ，１１４ｂ    ソケット部
１１６，２１６，３１６，４１６    防水キャップ
１１８，２１８，３１８，４１８    開口部
１２０    接点部
１２２，２２２，３２２，４２２    キャップ本体
１２４，２２４，３２４，４２４    台板
１２６，４２６    嵌着部
１２８，２２８，３２８，４２８    ガイドロッド
１３０，２３０，３３０，４３０    可動天板部
１３２，２３２，３３２，４３２    ばね
１３４，２３４，３３４，４３４    係止凹部
１３６，２３６，３３６，４３６    リンク部材
１３７，２３７，３３７，４３７    掛着部
１３８，２３８，３３８，４３８    取付孔
１４０    突起部
１４２    ローラ
１４４    Ｌ字状ばね
１４６    スライド部
【図１】
2005046318.tif 000003
【図２】
2005046318.tif 000004
【図３】
2005046318.tif 000005
【図４】
2005046318.tif 000006
【図５】
2005046318.tif 000007
【図６】
2005046318.tif 000008
【図７】
2005046318.tif 000009
【図８】
2005046318.tif 000010
【図９】
2005046318.tif 000011
【図１０】
2005046318.tif 000012
【図１１】
2005046318.tif 000013
【図１２】
2005046318.tif 000014
【図１３】
2005046318.tif 000015
【図１４】
2005046318.tif 000016